(57)【要約】【課題】検索システムから受信したヒットデータリストの中から、スコアが目標スコア以上のヒットデータを抽出することにより、出力を行うヒットデータ数を減少させることが可能な情報処理方法及びコンピュータプログラムを提供する。【解決手段】検索キーワードを情報処理装置１０から検索システム２０に送信し、送信した検索キーワードにヒットしたヒットデータにスコアが付加されているヒットデータリストを検索システム２０から情報処理装置１０に返信する際、目標スコアを情報処理装置１０で受付け、検索システム２０から受信したヒットデータリストの中から、スコアが前記受付けた目標スコア以上のヒットデータを情報処理装置１０で抽出し、抽出したヒットデータに関する情報を情報処理装置１０から出力する。【選択図】        図１
2004295663.tif 000002
【特許請求の範囲】
【請求項１】
検索キーワードを情報処理装置から検索システムに送信し、送信した検索キーワードにヒットしたヒットデータにスコアが付加されているヒットデータリストを前記情報処理装置で受信及び出力する情報処理方法において、
目標スコアを前記情報処理装置で受付けるステップと、
受信したヒットデータリストの中から、スコアが前記受付けた目標スコア以上のヒットデータを前記情報処理装置で抽出するステップと
を有し、前記抽出したヒットデータに関する情報を前記情報処理装置から出力することを特徴とする情報処理方法。
【請求項２】
コンピュータに、検索キーワードを検索システムへ送信させ、送信した検索キーワードにヒットしたヒットデータにスコアが付加されているヒットデータリストを受信させるコンピュータプログラムにおいて、
コンピュータに、目標スコアを受付けさせる手順と、
コンピュータに、受信したヒットデータリストの中から、スコアが前記受付けた目標スコア以上のヒットデータを抽出させる手順と、
コンピュータに、前記抽出したヒットデータに関する情報を出力させる手順と
を含むことを特徴とするコンピュータプログラム。
【請求項３】
コンピュータに、複数キーワードの組合せ又は１キーワードを含む検索キーワードを検索システムへ送信させ、送信した検索キーワードにヒットしたヒットデータにスコアが付加されているヒットデータリストを受信させるコンピュータプログラムにおいて、
コンピュータに、受信したヒットデータリストに含まれるヒットデータのスコアのうちの最高スコア及び該ヒットデータリストに対応する検索キーワードを所定記憶領域に記憶させる手順と、
コンピュータに、目標スコアを受付けさせる手順と、
コンピュータに、受信したヒットデータリストの中から、スコアが前記受付けた目標スコア以上のヒットデータを抽出させる手順と、
コンピュータに、目標スコア以上のヒットデータが抽出できなかった場合、前記所定記憶領域から、前記受信したヒットデータリストに対応する検索キーワードを含み、しかも最高スコアが目標スコア以上のヒットデータリストに対応する検索キーワードを読出させる手順と、
コンピュータに、前記抽出したヒットデータに関する情報又は前記読出した検索キーワードを出力させる手順と
を含むことを特徴とするコンピュータプログラム。
【請求項４】
コンピュータに、所定検索キーワードを定期的に検索システムへ送信させ、送信した所定検索キーワードにヒットしたヒットデータにスコアが付加されているヒットデータリストを受信させるコンピュータプログラムにおいて、
コンピュータに、目標スコアを受付けさせる手順と、
コンピュータに、受信したヒットデータリストの中から、スコアが前記受付けた目標スコア以上のヒットデータを抽出させる手順と、
コンピュータに、前記抽出したヒットデータに関する情報を所定記憶領域に記憶させる手順と、
コンピュータに、前記所定記憶領域に新しく記憶されたヒットデータに関する情報を検出させる手順と、
コンピュータに、前記検出したヒットデータに関する情報を出力させる手順と
を含むことを特徴とするコンピュータプログラム。
【請求項５】
コンピュータに、検索キーワードを検索システムへ送信させ、送信した検索キーワードにヒットしたヒットデータが含まれるヒットデータリストを受信させるコンピュータプログラムにおいて、
コンピュータに、受信したヒットデータリストに含まれるヒットデータのアドレス、内容情報及び検索キーワードを所定記憶領域に記憶させる手順と、
コンピュータに、ヒットデータのアドレスを受付けさせる手順と、
コンピュータに、前記受付けたアドレスに対応する内容情報及び検索キーワードを前記所定記憶領域から読出させる手順と、
コンピュータに、前記読出した検索キーワードを検索システムへ送信させる手順と、
コンピュータに、前記検索キーワードの送信に応じて受信したヒットデータリストに含まれるヒットデータの中から、内容情報が前記読出した内容情報に類似するヒットデータを抽出させる手順と、
コンピュータに、前記抽出したヒットデータに関する情報を出力させる手順と
を含むことを特徴とするコンピュータプログラム。
【発明の詳細な説明】
【０００１】
【発明の属する技術分野】
本発明は、検索キーワードを情報処理装置から検索システムに送信し、送信した検索キーワードにヒットしたヒットデータにスコアが付加されているヒットデータリストを情報処理装置で受信及び出力する情報処理方法、及び、コンピュータに、検索キーワードを送信させ、送信した検索キーワードにヒットしたヒットデータにスコアが付加されているヒットデータリストを受信させるコンピュータプログラムに関する。
【０００２】
【従来の技術】
インターネットの普及に伴い、必要な情報をインターネットから検索する機会が増加する傾向にある。必要な情報を検索する際、検索サイトにアクセスし、必要な情報に関係する検索キーワードを入力して検索を行う。しかし、インターネット上の情報量は膨大であり、検索キーワードに大量のデータ（ウェブページ）がヒットする場合が多い。ヒットデータ（ヒットページ）が大量の場合、検索キーワードを再考する必要が生じたり、何度も検索をやり直す場合が多くなるため、検索には手間がかかる。
【０００３】
検索サイトの中には、各ヒットデータ（ヒットページ）に、検索サイトが独自に算出したスコア（又はポイント）を付加して、ユーザがスコアを参考にしてヒットデータの閲覧を行えるようにしているところもある。スコアは、例えばヒットデータ内の検索キーワード数に基づいて決定したり、ヒットデータへのリンク数に基づいて決定するなど、各検索サイトが独自に決定しており、一般的に、スコアが高いほど、検索キーワードに関連の深い情報である場合が多い。
【０００４】
また、過去に入力された検索キーワードをデータベース化し、ユーザの入力した文字に前方一致する検索キーワード候補リストを表示することにより、検索キーワードの入力を補助する方法もある（例えば、特許文献１参照）。
【０００５】
【特許文献１】
特開２００１−２４９９３３号公報
【０００６】
【発明が解決しようとする課題】
各ヒットページにスコアを付加することにより、スコアを参考にして各ヒットページを閲覧できるが、従来と同様に、ユーザは大量のヒットページを含むヒットページリストを受取ることになる。また、検索キーワード候補リストを表示する方法では、検索キーワードの入力効率が向上するだけであり、従来と同様に、ユーザは大量のヒットページを含むヒットページリストを受取ることになる。
【０００７】
また、インターネット内の情報は、日々変化しており、新しいページが追加されたり、アドレス（ＵＲＬ）が変更されたりしている。新しく追加されたページ又はアドレスが変更されたページを検索する場合も、上述したように、大量のヒットページを調べる必要があり、手間がかかる。
【０００８】
本発明は斯かる事情に鑑みてなされたものであり、検索システムから受信したヒットデータリストの中から、スコアが目標スコア以上のヒットデータを抽出することにより、出力を行うヒットデータ数を減少させることが可能な情報処理方法及びコンピュータプログラムを提供することを目的とする。
【０００９】
また、本発明は、スコアが目標スコア以上のヒットデータを抽出できなかった場合、元の検索キーワードを含み、最高スコアが目標スコア以上の検索キーワードを出力することにより、再検索用の検索キーワードの決定を補助することが可能なコンピュータプログラムを提供することを他の目的とする。
【００１０】
また、本発明は、定期的に所定検索キーワードを検索システムに送信し、検索システムから受信したヒットデータリスト内のヒットデータを記憶部に記憶することにより、所定検索キーワードにヒットした目標スコア以上の新規ヒットデータの一覧を出力することが可能なコンピュータプログラムを提供することを他の目的とする。
【００１１】
また、本発明は、アクセスできなくなったヒットデータに対して過去に行った検索に関する検索キーワード及び内容情報に基づいて、前記アクセスできなくなったヒットデータを検索することが可能なコンピュータプログラムを提供することを他の目的とする。
【００１２】
【課題を解決するための手段】
第１発明に係る情報処理方法は、検索キーワードを情報処理装置から検索システムに送信し、送信した検索キーワードにヒットしたヒットデータにスコアが付加されているヒットデータリストを情報処理装置で受信及び出力する情報処理方法において、目標スコアを情報処理装置で受付けるステップと、受信したヒットデータリストの中から、スコアが前記受付けた目標スコア以上のヒットデータを情報処理装置で抽出するステップとを有し、前記抽出したヒットデータに関する情報を情報処理装置から出力することを特徴とする。
【００１３】
第２発明に係るコンピュータプログラムは、コンピュータに、検索キーワードを検索システムへ送信させ、送信した検索キーワードにヒットしたヒットデータにスコアが付加されているヒットデータリストを受信させるコンピュータプログラムにおいて、コンピュータに、目標スコアを受付けさせる手順と、コンピュータに、受信したヒットデータリストの中から、スコアが前記受付けた目標スコア以上のヒットデータを抽出させる手順と、コンピュータに、前記抽出したヒットデータに関する情報を出力させる手順とを含むことを特徴とする。
【００１４】
第３発明に係るコンピュータプログラムは、コンピュータに、複数キーワードの組合せ又は１キーワードを含む検索キーワードを検索システムへ送信させ、送信した検索キーワードにヒットしたヒットデータにスコアが付加されているヒットデータリストを受信させるコンピュータプログラムにおいて、コンピュータに、受信したヒットデータリストに含まれるヒットデータのスコアのうちの最高スコア及び該ヒットデータリストに対応する検索キーワードを所定記憶領域に記憶させる手順と、コンピュータに、目標スコアを受付けさせる手順と、コンピュータに、受信したヒットデータリストの中から、スコアが前記受付けた目標スコア以上のヒットデータを抽出させる手順と、コンピュータに、目標スコア以上のヒットデータが抽出できなかった場合、前記所定記憶領域から、前記受信したヒットデータリストに対応する検索キーワードを含み、しかも最高スコアが目標スコア以上のヒットデータリストに対応する検索キーワードを読出させる手順と、コンピュータに、前記抽出したヒットデータに関する情報又は前記読出した検索キーワードを出力させる手順とを含むことを特徴とする。
【００１５】
第４発明に係るコンピュータプログラムは、コンピュータに、所定検索キーワードを定期的に検索システムへ送信させ、送信した所定検索キーワードにヒットしたヒットデータにスコアが付加されているヒットデータリストを受信させるコンピュータプログラムにおいて、コンピュータに、目標スコアを受付けさせる手順と、コンピュータに、受信したヒットデータリストの中から、スコアが前記受付けた目標スコア以上のヒットデータを抽出させる手順と、コンピュータに、前記抽出したヒットデータに関する情報を所定記憶領域に記憶させる手順と、コンピュータに、前記所定記憶領域に新しく記憶されたヒットデータに関する情報を検出させる手順と、コンピュータに、前記検出したヒットデータに関する情報を出力させる手順とを含むことを特徴とする。
【００１６】
第５発明に係るコンピュータプログラムは、コンピュータに、検索キーワードを検索システムへ送信させ、送信した検索キーワードにヒットしたヒットデータが含まれるヒットデータリストを受信させるコンピュータプログラムにおいて、コンピュータに、受信したヒットデータリストに含まれるヒットデータのアドレス、内容情報及び検索キーワードを所定記憶領域に記憶させる手順と、コンピュータに、ヒットデータのアドレスを受付けさせる手順と、コンピュータに、前記受付けたアドレスに対応する内容情報及び検索キーワードを前記所定記憶領域から読出させる手順と、コンピュータに、前記読出した検索キーワードを検索システムへ送信させる手順と、コンピュータに、前記検索キーワードの送信に応じて受信したヒットデータリストに含まれるヒットデータの中から、内容情報が前記読出した内容情報に類似するヒットデータを抽出させる手順と、コンピュータに、前記抽出したヒットデータに関する情報を出力させる手順とを含むことを特徴とする。
【００１７】
第１又は第２発明においては、目標スコアを受付け、検索システムから受信したヒットデータリストの中から、スコアが前記受付けた目標スコア以上のヒットデータを抽出し、抽出したヒットデータに関する情報を出力する。一般的に、検索システムから受信したヒットデータリストは、大量のヒットデータを含むことが多く、また、スコアが高いほど、検索キーワードに関連の深い情報である場合が多い。大量のヒットデータを含むヒットデータリストの中から、スコアが目標スコア以上のヒットデータを抽出することにより、出力を行うヒットデータ数を減少することが可能である。また、抽出したヒットデータのスコアは目標スコア以上であり、出力を行うヒットデータは、検索キーワードに関連の深い情報である可能性が高いと考えられる。
【００１８】
第３発明においては、検索システムから受信したヒットデータリストに含まれるヒットデータのスコアのうちの最高スコア及び該ヒットデータリストに対応する検索キーワードを記憶部に記憶する。目標スコアを受付け、検索システムから受信したヒットデータリストの中から、スコアが前記受付けた目標スコア以上のヒットデータを抽出し、抽出したヒットデータに関する情報を出力する。また、スコアが目標スコア以上のヒットデータを抽出できなかった場合は、前記受信したヒットデータリストに対応する検索キーワードを含み、しかも最高スコアが目標スコア以上のヒットデータリストに対応する検索キーワードを前記記憶部から読出して、読出した検索キーワードを出力する。一般的に、スコアが高いヒットデータほど、検索キーワードに関連の深い情報であることが多く、ヒットデータリストに含まれるヒットデータのスコアのうちの最高スコアが目標スコアより低い場合は、検索キーワードに関連の深いヒットデータがあまり含まれていない可能性が高いと考えられる。出力を行った検索キーワードは、検索に使用した検索キーワードを含んでおり、絞込検索に使用できる検索キーワードであり、再検索の参考に用いることが可能である。また、前記出力を行った検索キーワードは、最高スコアが目標スコア以上であり、検索キーワードに関連の深い情報である可能性が高いと考えられる。
【００１９】
第４発明においては、目標スコアを受付け、定期的に所定検索キーワードを検索システムに送信し、検索システムから受信したヒットデータリストの中から、スコアが前記受付けた目標スコア以上のヒットデータを抽出し、抽出したヒットデータに関する情報を記憶部に記憶する。記憶部に新しく記憶されたヒットデータに関する情報を検出し、検出したヒットデータに関する情報を出力する。定期的に所定検索キーワードを検索システムに送信し、検索システムから受信したヒットデータリスト内のヒットデータを記憶部に記憶しているため、記憶部に新しく記憶されたヒットデータは、新規に検索されたヒットデータであり、所定検索キーワードにヒットした新規のヒットデータの一覧を出力することが可能である。また、記憶部に記憶されているヒットデータは、スコアが目標スコア以上であり、検索キーワードに関連の深い情報である可能性が高いと考えられる。
【００２０】
第５発明においては、検索システムから受信したヒットデータリストに含まれるヒットデータのアドレス、内容情報及び検索キーワードを記憶部に記憶する。ヒットデータのアドレスを受付け、受付けたアドレスのヒットデータの内容情報及び検索キーワードを記憶部から読出し、読出した検索キーワードを検索システムに送信する。検索キーワードの送信に応じて受信したヒットデータリストに含まれるヒットデータの中から、内容情報が前記読出した内容情報に類似するヒットデータを抽出し、抽出したヒットデータを出力する。インターネットなどの不特定多数のサーバが接続された通信ネットワークにおいては、新規データが追加又は変更されるのは勿論、公開されていたデータが他のサーバに移転される場合も多く、今までアクセスできていたデータに急にアクセスできなくなることもある。アクセスできなくなったデータのアドレスが記憶部に記憶されている場合は、前記アクセスできなくなったヒットデータに対して過去に行った検索に関する検索キーワード及び内容情報が取得でき、取得した検索キーワードで再度検索を行うことが可能である。検索結果のうち、内容情報が前記取得した内容情報と類似しているヒットデータは、前記アクセスできなくなったデータのアドレス移動先である可能性が高い。
【００２１】
【発明の実施の形態】
以下、本発明をその実施の形態を示す図面に基づいて具体的に説明する。
（第１の実施の形態）
図１に本発明に係る情報処理装置１０の例を示す。情報処理装置１０は、ＣＰＵ（Ｃｅｎｔｒａｌ  Ｐｒｏｃｅｓｓｉｎｇ  Ｕｎｉｔ）１１と、ＤＲＡＭ等のＲＡＭ（Ｒａｎｄｏｍ  Ａｃｃｅｓｓ  Ｍｅｍｏｒｙ）１２と、ハードディスクドライブ（以下、ハードディスクと略す）１３と、フレキシブルディスクドライブ又はＣＤ−ＲＯＭドライブ等の外部記憶部１４と、キーボード又はマウス等の入力部１５と、表示装置又はプリンタ等の出力部１６と、インターネットなどの通信ネットワーク２２との通信制御を行う通信部１７とを備える。
【００２２】
ＣＰＵ１１は、上述した各部１２〜１７の制御を行う。また、ＣＰＵ１１は、入力部１５又は通信部１７から受付けたプログラム又はデータ、あるいはハードディスク１３又は外部記憶部１４から読出したプログラム又はデータ等をＲＡＭ１２に記憶し、ＲＡＭ１２に記憶したプログラムの実行又はデータの演算等の各種処理を行い、各種処理結果又は各種処理に用いる一時的なデータをＲＡＭ１２に記憶する。ＲＡＭ１２に記憶した演算結果等のデータは、ＣＰＵ１１により、ハードディスク１３に記憶されたり、出力部１６又は通信部１７から出力される。
【００２３】
通信ネットワーク２２には、検索システム２０が接続されている。検索システム２０は、検索キーワードを受付け、受付けた検索キーワードにヒットしたヒットデータの一覧であるヒットデータリストを返信する。本説明においては、検索システムは、受付けた検索キーワードにヒットした各ヒットデータにスコア（又はポイント）を付加している。スコアは、例えばヒットデータに含まれる検索キーワード数に応じて決定されたり、ヒットデータへのリンク数に応じて決定されるなど、検索システム毎に様々な方法で決定されており、一般的に、スコアが高いヒットデータは、スコアが低いヒットデータに比べて、検索キーワードに関連の深い情報である場合が多い。ヒットデータリスト内では、スコアが高い順にヒットデータが並べられている。
【００２４】
情報処理装置１０は、例えば入力部１５で検索キーワードを受付け、入力部１５で受付けた検索キーワードをＣＰＵ１１の制御でＲＡＭ１２に記憶して通信部１７から検索システム２０に送信する。また、情報処理装置１０は、検索システム２０から返信されたヒットデータリストを通信部１７で受信し、受信したヒットデータリストをＣＰＵ１１の制御でＲＡＭ１２に記憶して出力部１６に出力することが可能である。
【００２５】
また、例えば通信部１７でユーザ端末（通信ネットワーク２２に接続されている図示しない端末装置）から検索キーワードを受付け、通信部１７で受付けた検索キーワードをＣＰＵ１１の制御でＲＡＭ１２に記憶して通信部１７から検索システム２０に送信し、検索システム２０から返信されたヒットデータリストを通信部１７で受信し、受信したヒットデータリストをＣＰＵ１１の制御でＲＡＭ１２に記憶して通信部１７から前記ユーザ端末に送信することも可能である。
【００２６】
入力部１５（又は通信部１７）は、希望スコア（目標スコア）を受付ける手段として動作する。ＣＰＵ１１は、検索システム２０から受信したヒットデータリストの中から、スコアが入力部１５（又は通信部１７）の受付けた希望スコア以上のヒットデータを抽出する手段として動作し、抽出したヒットデータに関する情報を出力部１６に出力する（又は通信部１７から送信する）。
【００２７】
ＣＤ−ＲＯＭ等の記録媒体１９に記録されたコンピュータプログラムを外部記憶部１４で読出してハードディスク１３又はＲＡＭ１２に記憶してＣＰＵ１１に実行させることにより、ＣＰＵ１１を上述した各手段として動作させることが可能である。また、通信部１７で他の装置からコンピュータプログラムを受付けてハードディスク１３又はＲＡＭ１２に記憶することも可能である。
【００２８】
次に、本発明に係る情報処理装置を用いたデータ検索について説明する。本説明では、入力部１５から検索キーワード及び希望スコア（目標スコア）を受付け、検索結果（ヒットデータリスト）を出力部１５から出力するものとする。図２にデータ検索手順の例を示す。
【００２９】
ＣＰＵ１１はハードディスク１３に記憶されている検索画面をＲＡＭ１２に読出して出力部１６に出力するなどして、検索キーワード及び希望スコアを受付ける（Ｓ１０）。検索画面の例を図３に示す。検索画面は、検索キーワードの入力欄３２、希望スコアの入力欄３４、検索ボタン３６及びキャンセルボタン３８などを有する。利用者は、例えば入力部１５を操作して、入力欄３２に検索キーワードを入力し、入力欄３４に希望スコアを入力し、検索ボタン３６をクリックする。検索ボタン３６がクリックされた場合、ＣＰＵ１１の制御により、入力された検索キーワード及び希望スコアはＲＡＭ１２に記憶されると共に、通信部１７から検索システム２０に送信される。
【００３０】
情報処理装置１０から検索キーワードを受付けた検索システム２０は、受付けた検索キーワードにヒットしたヒットデータの一覧であるヒットデータリストを情報処理装置１０に返信する。通信部１７が検索システム２０から受付けた（Ｓ１２）ヒットデータリストは、ＣＰＵ１１の制御によりＲＡＭ１２に記憶される。ＣＰＵ１１は、ＲＡＭ１２に記憶したヒットデータリストの中からスコアが希望スコア以上のヒットデータを抽出し（Ｓ１６）、抽出したヒットデータに関する各種情報をＲＡＭ１２に記憶する（Ｓ１８）。ＣＰＵ１１は、前記抽出したヒットデータの一覧を出力部１６に出力する（Ｓ２０）。
【００３１】
例えば検索システム２０が１〜１００のスコアをヒットデータに付加しており、希望スコアが８０で、ヒットデータリスト内の全ヒットデータ数が３８６、スコアが８０以上のヒットデータ数が６３の場合、ＣＰＵ１１により、３８６個のヒットデータの中から、スコアが８０以上の６３個のヒットデータが抽出され、出力部１６に出力される。
【００３２】
上述した第１の実施の形態においては、インターネットなどの通信ネットワーク２２に接続された情報処理装置１０及び検索システム２０を例にして説明を行ったが、例えば情報処理装置１０及び検索システム２０は社内ＬＡＮ（Ｌｏｃａｌ  Ａｒｅａ  Ｎｅｔｗｏｒｋ）などの通信ネットワークに接続されていてもよい。
【００３３】
（第２の実施の形態）
図４（ａ）に本発明に係る情報処理装置１０の例を示す。情報処理装置１０は、第１の実施の形態（図１）と同様に、ＣＰＵ１１、ＲＡＭ１２、ハードディスク１３、外部記憶部１４、入力部１５、出力部１６及び通信部１７を備え、通信部１７は通信ネットワーク２２を介して検索システム２０と接続されている。検索システム２０は、第１の実施の形態と同様に、検索キーワードを受付けて、受付けた検索キーワードにヒットしたヒットデータの一覧であるヒットデータリストを返信する。各ヒットデータには、スコアが付加されている。
【００３４】
本実施の形態では、通信ネットワーク２２には、ユーザが操作するユーザ端末２４が接続されており、情報処理装置１０は、通信部１７がユーザ端末２４から受付けた検索キーワードを、ＣＰＵ１１の制御によって通信部１７から検索システム２０に送信し、検索システム２０から受付けたヒットデータリストを、ＣＰＵ１１の制御によって通信部１７から前記ユーザ端末２４に出力（送信）する。
【００３５】
ハードディスク１３は、検索システム２０から受信したヒットデータリストに含まれる各ヒットデータのスコアのうちの最高スコア及び該ヒットデータリストに対応する検索キーワードを記憶する記憶部として動作する。本説明では、受信したヒットデータリストに含まれる各ヒットデータのスコアのうちの最高スコア及び該ヒットデータリストに対応する検索キーワードを含む検索結果情報が、ハードディスク１３に記憶されている。
【００３６】
検索結果情報の例を図４（ｂ）に示す。検索結果情報は、各検索キーワードに付与されたキーワードＮｏ、検索に使用された検索キーワード（複数キーワードの組合せの場合もある）、前記検索キーワードにヒットしたヒットデータのうちの最高スコアなどを含む。ＣＰＵ１１は、通信部１７が検索システム２０からヒットデータリストを受信した場合、ヒットデータリストに含まれる各ヒットデータのスコアのうちの最高スコアを抽出し、抽出した最高スコアを検索キーワードと共に検索結果情報に登録する。
【００３７】
通信部１７は、希望スコア（目標スコア）を受付ける手段として動作する。また、ＣＰＵ１１は、通信部１７が受信したヒットデータリストの中に、スコアが入力部１５の受付けた希望スコア以上のヒットデータがある場合、スコアが希望スコア以上のヒットデータを抽出する手段、及び、スコアが前記希望スコア以上のヒットデータが無い場合は、ハードディスク１３（検索結果情報）から、前記受信したヒットデータリストに対応する検索キーワードを含み、しかも最高スコアが前記希望スコア以上のヒットデータリストに対応する検索キーワードを読出す手段として動作し、抽出したヒットデータに関する情報又は読出した検索キーワードを通信部１７からユーザ端末２４に出力する。
【００３８】
ＣＤ−ＲＯＭ等の記録媒体１９に記録されたコンピュータプログラムを外部記憶部１４で読出してハードディスク１３又はＲＡＭ１２に記憶してＣＰＵ１１に実行させることにより、ＣＰＵ１１を上述した各手段として動作させることが可能である。また、通信部１７で他の装置からコンピュータプログラムを受付けてハードディスク１３又はＲＡＭ１２に記憶することも可能である。
【００３９】
次に、本発明に係る情報処理装置を用いたデータ検索について説明する。図５にデータ検索手順の例を示す。
ＣＰＵ１１はハードディスク１３に記憶されている検索画面を通信部１７からユーザ端末２４に送信するなどして、通信部１７でユーザ端末２４から検索キーワード及び希望スコア（目標スコア）を受付ける（Ｓ１０）。利用者は、ユーザ端末を操作して、例えば図３に示した検索画面の入力欄３２に検索キーワードを入力し、入力欄３４に希望スコアを入力し、検索ボタン３６をクリックする。検索ボタン３６がクリックされた場合、ユーザ端末２４から情報処理装置１０に検索キーワード及び希望スコアが送信され、情報処理装置１０の通信部１７が受付けた検索キーワード及び希望スコアはＣＰＵ１１の制御によってＲＡＭ１２に記憶され、受付けた検索キーワードは通信部１７から検索システム２０に送信される。
【００４０】
情報処理装置１０から検索キーワードを受付けた検索システム２０は、受付けた検索キーワードにヒットしたヒットデータの一覧であるヒットデータリストを情報処理装置１０に返信する。通信部１７が検索システム２０から受付けた（Ｓ１２）ヒットデータリストは、ＣＰＵ１１の制御によりＲＡＭ１２に記憶される。ＣＰＵ１１は、ＲＡＭ１２に記憶したヒットデータリストの最高スコアを抽出してＲＡＭ１２に記憶し、検索キーワード及び抽出した最高スコアを検索結果情報に登録する。ＣＰＵ１１は、前記ヒットデータリストから抽出した最高スコアとユーザ端末２４から受付けた希望スコアとを比較し、最高スコアが希望スコア以上の場合（Ｓ１４：ＹＥＳ）、スコアが希望スコア以上のヒットデータを抽出し（Ｓ１６）、抽出したヒットデータに関する各種情報をＲＡＭ１２に記憶する（Ｓ１８）。ＣＰＵ１１は、抽出したヒットデータの一覧を通信部１７からユーザ端末２４に出力する（Ｓ２０）。
【００４１】
最高スコアが希望スコアよりも低い場合（Ｓ１４：ＮＯ）、ＣＰＵ１１は、受付けた検索キーワードを包含する他の検索キーワードを検索結果情報から読出す（Ｓ２２）。前記他の検索キーワードが無い場合（Ｓ２４：ＮＯ）は、処理を終了する。前記他の検索キーワードがある場合（Ｓ２４：ＹＥＳ）、ＣＰＵ１１により、前記読出した他の検索キーワードに対応するヒットデータの最高スコアを検索結果情報から読出して、前記読出した検索キーワードと共にＲＡＭ１２に記憶し、読出した最高スコアと希望スコアとを比較する。読出した最高スコアが希望スコアよりも低い場合（Ｓ２６：ＮＯ）、処理を終了する。読出した最高スコアが希望スコア以上の場合（Ｓ２６：ＹＥＳ）、ＣＰＵ１１は、最高スコア及び前記読出した他の検索キーワードを通信部１７からユーザ端末２４に出力する（Ｓ２８）。
【００４２】
読出した他の検索キーワード及び最高スコアの出力画面の例を図６に示す。図６の例では、図３に示した検索画面の下段に、読出した他の検索キーワード及び最高スコアが表示されている。読出した他の検索キーワード（図６では「ａａａａ」，「ｂｂｂｂ」及び「ｃｃｃｃ」と、「ａａａａ」，「ｂｂｂｂ」及び「ｄｄｄｄ」）は、通信部１７でユーザ端末２４から受付けた元の検索キーワード（図６では「ａａａａ」及び「ｂｂｂｂ」）を含んだ検索キーワードである。利用者は、読出した他の検索キーワード及び最高スコアを参考にして、前記読出した他の検索キーワード又は新たな検索キーワードを入力欄３２に入力して再検索を行うことが可能である。
【００４３】
（第３の実施の形態）
図７に本発明に係る情報処理装置１０の例を示す。情報処理装置１０は、第２の実施の形態（図４）と同様に、ＣＰＵ１１、ＲＡＭ１２、ハードディスク１３、外部記憶部１４、入力部１５、出力部１６及び通信部１７を備え、通信部１７は通信ネットワーク２２を介して検索システム２０及びユーザ端末２４と接続されている。検索システム２０は、第１の実施の形態と同様に、検索キーワードを受付けて、受付けた検索キーワードにヒットしたヒットデータの一覧であるヒットデータリストを返信する。各ヒットデータにはスコアが付加されている。
【００４４】
本実施の形態では、通信部１７により、通信ネットワーク２２に接続されたユーザ端末２４から検索キーワード及び検索実行日時とを予め受付けておき、ＣＰＵ１１の制御により、受付けた検索実行日時に、受付けた検索キーワードを通信部１７から検索システム２０に送信し、検索を行う。また、ＣＰＵ１１の制御により、通信部１７が検索システム２０から受付けた検索結果（ヒットデータリスト）をハードディスク１３に保存する。本説明では、インターネット上のウェブサイトを構成するＨＴＭＬ（Ｈｙｐｅｒ  Ｔｅｘｔ  Ｍａｒｋｕｐ  Ｌａｎｇｕａｇｅ）データの検索を例にして説明を行う。各ヒットデータ（ＨＴＭＬデータ）は、アドレス（ＵＲＬ：Ｕｎｉｖｅｒｓａｌ  Ｒｅｓｏｕｒｃｅ  Ｌｏｃａｔｏｒ）、タイトル及びテキスト（表示文字部分）を有する。
【００４５】
通信部１７は、ユーザ端末２４から希望スコア（目標スコア）を受付ける手段として動作し、ＣＰＵ１１は、通信部１７が受信したヒットデータリストの中から、スコアが通信部１７の受付けた希望スコア以上のヒットデータを抽出する手段として動作し、ハードディスク１３は、前記ＣＰＵ１１が抽出したヒットデータに関する情報を記憶する記憶部として動作する。また、ＣＰＵ１１は、ハードディスク１３に新しく記憶されたヒットデータに関する情報を検出する手段として動作し、検出したヒットデータに関する情報を通信部１７からユーザ端末２４に出力（送信）する。
【００４６】
ハードディスク１３には、検索を行う利用者に関する利用者情報、利用者が指定した検索キーワード及び希望ヒット率などに関するキーワード情報、及び、利用者が指定した検索キーワードにヒットしたヒットデータに関するヒットデータ情報が記憶される。利用者情報の例を図８（ａ）に示す。利用者情報は、各利用者を識別する利用者Ｎｏ、利用者名、パスワード、電子メールアドレス、自動巡回頻度、巡回時刻などを含む。自動巡回頻度は、例えば毎日、毎週月曜日、又は、毎月１０日などの頻度が設定される。利用者情報の「利用者名」、「パスワード」、「電子メールアドレス」、「自動巡回頻度」、「巡回時刻」などは、通信部１７でユーザ端末２４から受付けた設定に基づいて、ＣＰＵ１１で更新する。
【００４７】
キーワード情報の例を図８（ｂ）に示す。キーワード情報は、例えば利用者Ｎｏ、検索キーワード（複数キーワードの組合せの場合もあり）を識別するキーワードＮｏ、検索キーワード、希望スコア、最高スコアなどを含む。キーワード情報の「検索キーワード」、「希望スコア」などは、通信部１７でユーザ端末２４から受付けた設定に基づいて、ＣＰＵ１１で更新する。また、キーワード情報の「最高スコア」は、例えば第２の実施の形態と同様にして、検索システム２０から受付けたヒットデータリストに基づいてＣＰＵ１１で更新することが可能である。
【００４８】
ヒットデータ情報の例を図８（ｃ）に示す。ヒットデータ情報は、例えば利用者Ｎｏ、ヒットデータを識別するヒットデータＮｏ、ヒットデータ（ＨＴＭＬデータ）のＵＲＬ、ヒットデータのタイトル、ヒットデータの検索に使用したキーワードＮｏ、ヒットデータのスコア、新着であるか否か（“１：新着”ｏｒ“０：出力済み”）を示す新着フラグ、ヒットデータのテキストなどを含む。ヒットデータ情報の「ＵＲＬ」、「タイトル」、「キーワードＮｏ」、「スコア」、「テキスト」は、例えば検索システム２０から受付けたヒットデータリストに基づいてＣＰＵ１１で更新することが可能である。また、ヒットデータ情報の「新着フラグ」は、例えば通信部１７からユーザ端末２４に出力する際、ＣＰＵ１１で“０”に更新することが可能である。
【００４９】
ＣＤ−ＲＯＭ等の記録媒体１９に記録されたコンピュータプログラムを外部記憶部１４で読出してハードディスク１３又はＲＡＭ１２に記憶してＣＰＵ１１に実行させることにより、ＣＰＵ１１を上述した各手段として動作させることが可能である。また、通信部１７で他の装置からコンピュータプログラムを受付けてハードディスク１３又はＲＡＭ１２に記憶することも可能である。
【００５０】
次に、本発明に係る情報処理装置を用いたデータ検索について説明する。
検索キーワード、希望スコア、自動巡回頻度及び巡回時刻などの設定は、通信部１７でユーザ端末２４から受付け、ＣＰＵ１１によりハードディスク１３の利用者情報又はキーワード情報に予め記憶されている。ＣＰＵ１１は、現日時を監視し、利用者情報に含まれる自動巡回頻度及び巡回時刻に達した場合は、自動巡回処理を行う。自動巡回処理の実行手順の例を図９に示す。
【００５１】
ＣＰＵ１１は、ハードディスク１３に記憶されているキーワード情報から、検索キーワード及び及び希望スコア（目標スコア）を読出して（Ｓ４０）、ＲＡＭ１２に記憶する。ＣＰＵ１１の制御により、読出した検索キーワードは通信部１７から検索システム２０に送信される。情報処理装置１０から検索キーワードを受付けた検索システム２０は、受付けた検索キーワードにヒットしたヒットデータの一覧であるヒットデータリストを情報処理装置１０に送信する。通信部１７が検索システム２０から受付けた（Ｓ４２）ヒットデータリストは、ＣＰＵ１１の制御によりＲＡＭ１２に記憶される。
【００５２】
ＣＰＵ１１は、ＲＡＭ１２に記憶したヒットデータリストの最高スコアを抽出してＲＡＭ１２に記憶し、抽出した最高スコアと希望スコアとを比較し、最高スコアが希望スコア以上の場合（Ｓ４４：ＹＥＳ）、スコアが希望スコア以上のヒットデータを抽出し（Ｓ４６）、ヒットデータ情報に基づいて、前記抽出したヒットデータのＵＲＬが新規であるか否かを判定する。ＵＲＬが新規な場合（Ｓ４８：ＹＥＳ）、ＣＰＵ１１は、抽出したヒットデータに関する各種情報をヒットデータ情報（ただし、新着フラグは“１”）に記憶する（Ｓ５０）。
【００５３】
抽出したヒットデータを記憶（Ｓ５０）した場合、最高スコアが希望スコアよりも低い場合（Ｓ４４：ＮＯ）、又は、ＵＲＬが新規でない場合（Ｓ４８：ＮＯ）、ＣＰＵ１１は、キーワード情報を参照して他の検索キーワードの有無を判定する。他の検索キーワードがある場合（Ｓ５２：ＹＥＳ）、同様の検索処理を行う。他の検索キーワードが無い場合（Ｓ５２：ＮＯ）、ＣＰＵ１１は、新規ヒットデータ（新着フラグ＝“１”）の一覧を通信部１７からユーザ端末２４に出力する（Ｓ５４）。出力した新規ヒットデータの新着フラグは、ＣＰＵ１１により、“０”に更新される。
【００５４】
前記抽出したヒットデータの出力画面の例を図１０に示す。図１０に示す例では、キーワード情報に含まれる検索キーワード及び希望スコアと、ヒットデータ情報に含まれる前記抽出したヒットデータ（ＨＴＭＬデータ）のタイトル、スコア及びＵＲＬが表示されている。
【００５５】
上述した第３の実施の形態においては、情報処理装置１０の通信部１７でユーザ端末２４から利用者情報及びキーワード情報に関する各種設定を受付け、新着情報を通信部１７からユーザ端末２４に出力したが、第１の実施の形態（図１）と同様に、ユーザ端末２４を使用せず、入力部１５でユーザから利用者情報及びキーワード情報に関する各種設定を受付け、新着情報を出力部１６に出力することも可能である。
【００５６】
（第４の実施の形態）
図１１に本発明に係る情報処理装置１０の例を示す。情報処理装置１０は、第２の実施の形態（図４）と同様に、ＣＰＵ１１、ＲＡＭ１２、ハードディスク１３、外部記憶部１４、入力部１５、出力部１６及び通信部１７を備え、通信部１７は通信ネットワーク２２を介して検索システム２０及びユーザ端末２４と接続されている。検索システム２０は、第１の実施の形態と同様に、検索キーワードを受付けて、受付けた検索キーワードにヒットしたヒットデータの一覧であるヒットデータリストを返信する。
【００５７】
本説明では、インターネット上のウェブサイトを構成するＨＴＭＬ（Ｈｙｐｅｒ  Ｔｅｘｔ  Ｍａｒｋｕｐ  Ｌａｎｇｕａｇｅ）データの検索を例にして説明を行う。各ヒットデータ（ＨＴＭＬデータ）は、ＵＲＬ（Ｕｎｉｖｅｒｓａｌ  Ｒｅｓｏｕｒｃｅ  Ｌｏｃａｔｏｒ）、タイトル及びテキスト（表示文字部分）を有する。本実施の形態において、ハードディスク１３は、通信部１７が検索システム２０から受付けたヒットデータリストに含まれる各ヒットデータのアドレス、テキスト（内容情報）及び検索キーワードを含んだヒットデータ情報を記憶する記憶部として動作する。
【００５８】
ヒットデータ情報の例を図１２（ａ）に示す。ヒットデータ情報は、例えばヒットデータを識別するヒットデータＮｏ、ヒットデータ（ＨＴＭＬデータ）のＵＲＬ、ヒットデータのタイトル、ヒットデータの検索に使用した検索キーワード（複数キーワードの組合せの場合もある）、ヒットデータのスコア、及び、ヒットデータのテキストなどを含む。ヒットデータ情報の「ＵＲＬ」、「タイトル」、「検索キーワード」、「スコア」、「テキスト」は、例えば検索システム２０から受付けたヒットデータリストに基づいてＣＰＵ１１で更新することが可能である。
【００５９】
通信部１７は、通信ネットワーク２２に接続されたユーザ端末２４から、ヒットデータ（ＨＴＭＬデータ）のＵＲＬ（アドレス）を受付ける手段として動作し、ＣＰＵ１１は、通信部１７が受付けたＵＲＬのヒットデータに対応するテキスト（内容情報）及び検索キーワードをハードディスク（ヒットデータ情報）１３から読出す手段、及び、読出した検索キーワードを通信部１７から検索システム２０に送信する手段として動作する。
【００６０】
また、ＣＰＵ１１は、検索システム２０から受信したヒットデータリストに含まれる各ヒットデータの中から、テキスト（内容情報）が前記読出したテキスト（内容情報）に類似するヒットデータを検出する手段として動作し、検出したヒットデータに関する情報をハードディスク１３（ＵＲＬ変更情報）に記憶すると共に、通信部１７からユーザ端末１７に出力する。ＵＲＬ変更情報の例を図１２（ｂ）に示す。ＵＲＬ変更情報は、通信部１７でユーザ端末２４から受付けたＵＲＬのヒットデータのヒットデータＮｏ、前記検出したヒットデータのＵＲＬ（候補ＵＲＬ）及びタイトルを含む。
【００６１】
ＣＤ−ＲＯＭ等の記録媒体１９に記録されたコンピュータプログラムを外部記憶部１４で読出してハードディスク１３又はＲＡＭ１２に記憶してＣＰＵ１１に実行させることにより、ＣＰＵ１１を上述した各手段として動作させることが可能である。また、通信部１７で他の装置からコンピュータプログラムを受付けてハードディスク１３又はＲＡＭ１２に記憶することも可能である。
【００６２】
次に、本発明に係る情報処理装置を用いたデータ検索について説明する。
ＣＰＵ１１は、通信部１７でユーザ端末２４から受付けた検索キーワードを通信部１７から検索システム２０に送信し、通信部１７が検索システム２０から受付けたヒットデータリストの各ヒットデータ（ＨＴＭＬデータ）に関する情報及び検索キーワードをヒットデータ情報に記憶している。アクセスが不能になったＵＲＬの検索手順の例を図１３に示す。
【００６３】
ＣＰＵ１１は、通信部１７でユーザ端末２４からアクセス不能になったＵＲＬを受付けた（Ｓ６０）場合、受付けたＵＲＬに関する検索キーワード及びテキストなどの各種情報をヒットデータ情報から読出して（Ｓ６２）、ＲＡＭ１２に記憶する。前記受付けたＵＲＬに対応する検索キーワードを読出した場合（Ｓ６４：ＹＥＳ）、ＣＰＵ１１により、前記読出した検索キーワードを通信部１７から検索システム２０に送信し、検索システム２０からヒットデータリストを受付ける（Ｓ６６）。検索キーワードを読出せなかった場合（Ｓ６４：ＮＯ）は、処理を終了する。
【００６４】
通信部１７が検索システム２０から受付けたヒットデータリストは、ＣＰＵ１１の制御により、ＲＡＭ１２に記憶され、候補ＵＲＬの抽出が行われる（Ｓ６８）。例えば、ＣＰＵ１１により、受付けたヒットデータリストの各ヒットデータのテキストを抽出してＲＡＭ１２に記憶し、受付けたＵＲＬのヒットデータの中から、テキストが前記読出したテキストと類似するヒットデータを抽出する。テキストの類似は、テキスト内の文字一致部分の割合が所定値以上の場合、類似していると判定することが可能である。
【００６５】
候補ＵＲＬがある場合（Ｓ７０：ＹＥＳ）、ＣＰＵ１１は、候補ＵＲＬに関する情報をハードディスク１３のＵＲＬ変更情報に記憶すると共に、通信部１７からユーザ端末２４に出力する（Ｓ７２）。候補ＵＲＬがない場合（Ｓ７０：ＮＯ）は、処理を終了する。候補ＵＲＬに関する情報の出力画面の例を図１４に示す。図１４の例では、通信部１７でユーザ端末２４から受付けたＵＲＬと、受付けたＵＲＬに対応するヒットデータのタイトル及び検索キーワードと、候補ＵＲＬ及びタイトルが表示されている。
【００６６】
上述した第１又は第２の実施の形態、第３の実施の形態及び第４の実施の形態は、３つのうちの任意の２つを組合せたり、３つ全てを組合せることが可能である。スコアは、検索システム側で各ヒットデータに付加する数値であり、検索システムごとに呼び名が変わる場合もあるが、数値が高いほどヒットデータリストの先頭側に配置される。また、スコアは、検索システム側が各ヒットデータに付加する指標であり、数値に限定はされず、例えば“Ａ”〜“Ｅ”の５段階のレベルで表される場合、又は、棒グラフで表される場合などもある。
【００６７】
（付記１）  検索キーワードを情報処理装置から検索システムに送信し、送信した検索キーワードにヒットしたヒットデータにスコアが付加されているヒットデータリストを情報処理装置で受信及び出力する情報処理方法において、
目標スコアを情報処理装置で受付けるステップと、
受信したヒットデータリストの中から、スコアが前記受付けた目標スコア以上のヒットデータを情報処理装置で抽出するステップと
を有し、前記抽出したヒットデータに関する情報を情報処理装置から出力することを特徴とする情報処理方法。
（付記２）  検索キーワードを情報処理装置から検索システムに送信し、送信した検索キーワードにヒットしたヒットデータにスコアが付加されているヒットデータリストを情報処理装置で受信する情報処理システムにおいて、
前記情報処理装置は、
目標スコアを受付ける受付手段と、
検索システムから受信したヒットデータリストの中から、スコアが受付手段の受付けた目標スコア以上のヒットデータを抽出する抽出手段と
を備え、該抽出手段が抽出したヒットデータに関する情報を出力するように構成されていることを特徴とする情報処理システム。
（付記３）  検索キーワードを検索システムに送信する送信手段を備え、該送信手段が送信した検索キーワードにヒットしたヒットデータにスコアが付加されているヒットデータリストを受信する情報処理装置において、
目標スコアを受付ける受付手段と、
受信したヒットデータリストの中から、スコアが受付手段の受付けた目標スコア以上のヒットデータを抽出する抽出手段と
を備え、該抽出手段が抽出したヒットデータに関する情報を出力するように構成されていることを特徴とする情報処理装置。
（付記４）  コンピュータに、検索キーワードを検索システムへ送信させ、送信した検索キーワードにヒットしたヒットデータにスコアが付加されているヒットデータリストを受信させるコンピュータプログラムにおいて、
コンピュータに、目標スコアを受付けさせる手順と、
コンピュータに、受信したヒットデータリストの中から、スコアが前記受付けた目標スコア以上のヒットデータを抽出させる手順と、
コンピュータに、前記抽出したヒットデータに関する情報を出力させる手順と
を含むことを特徴とするコンピュータプログラム。
（付記５）  コンピュータに、複数キーワードの組合せ又は１キーワードを含む検索キーワードを検索システムへ送信させ、送信した検索キーワードにヒットしたヒットデータにスコアが付加されているヒットデータリストを受信させるコンピュータプログラムにおいて、
コンピュータに、受信したヒットデータリストに含まれるヒットデータのスコアのうちの最高スコア及び該ヒットデータリストに対応する検索キーワードを所定記憶領域に記憶させる手順と、
コンピュータに、目標スコアを受付けさせる手順と、
コンピュータに、受信したヒットデータリストの中から、スコアが前記受付けた目標スコア以上のヒットデータを抽出させる手順と、
コンピュータに、目標スコア以上のヒットデータが抽出できなかった場合、前記所定記憶領域から、前記受信したヒットデータリストに対応する検索キーワードを含み、しかも最高スコアが目標スコア以上のヒットデータリストに対応する検索キーワードを読出させる手順と、
コンピュータに、前記抽出したヒットデータに関する情報又は前記読出した検索キーワードを出力させる手順と
を含むことを特徴とするコンピュータプログラム。
（付記６）  コンピュータに、所定検索キーワードを定期的に検索システムへ送信させ、送信した所定検索キーワードにヒットしたヒットデータにスコアが付加されているヒットデータリストを受信させるコンピュータプログラムにおいて、
コンピュータに、目標スコアを受付けさせる手順と、
コンピュータに、受信したヒットデータリストの中から、スコアが前記受付けた目標スコア以上のヒットデータを抽出させる手順と、
コンピュータに、前記抽出したヒットデータに関する情報を所定記憶領域に記憶させる手順と、
コンピュータに、前記所定記憶領域に新しく記憶されたヒットデータに関する情報を検出させる手順と、
コンピュータに、前記検出したヒットデータに関する情報を出力させる手順と
を含むことを特徴とするコンピュータプログラム。
（付記７）  コンピュータに、検索キーワードを検索システムへ送信させ、送信した検索キーワードにヒットしたヒットデータが含まれるヒットデータリストを受信させるコンピュータプログラムにおいて、
コンピュータに、受信したヒットデータリストに含まれるヒットデータのアドレス、内容情報及び検索キーワードを所定記憶領域に記憶させる手順と、
コンピュータに、ヒットデータのアドレスを受付けさせる手順と、
コンピュータに、前記受付けたアドレスに対応する内容情報及び検索キーワードを前記所定記憶領域から読出させる手順と、
コンピュータに、前記読出した検索キーワードを検索システムへ送信させる手順と、
コンピュータに、前記検索キーワードの送信に応じて受信したヒットデータリストに含まれるヒットデータの中から、内容情報が前記読出した内容情報に類似するヒットデータを抽出させる手順と、
コンピュータに、前記抽出したヒットデータに関する情報を出力させる手順と
を含むことを特徴とするコンピュータプログラム。
【００６８】
【発明の効果】
第１又は第２発明によれば、検索システムから受信したヒットデータリストの中から、スコアが目標スコア以上のヒットデータを抽出することにより、出力を行うヒットデータ数を減少させることが可能である。また、抽出したヒットデータのスコアは目標スコアよりも高く、出力を行うヒットデータは、検索キーワードに関連の深い情報である可能性が高いと考えられる。
【００６９】
第３発明によれば、スコアが目標スコア以上のヒットデータを抽出できなかった場合、検索に使用した検索キーワードを含み、最高スコアが目標スコア以上の検索キーワードを過去の検索結果から取得して出力することにより、再検索用の検索キーワードの決定を補助することが可能である。また、前記出力を行った検索キーワードは、最高スコアが目標スコア以上であり、検索キーワードに関連の深い情報である可能性が高いと考えられる。
【００７０】
第４発明によれば、定期的に所定検索キーワードを検索システムに送信し、検索システムから受信したヒットデータリストから、スコアが目標スコア以上のヒットデータを抽出して記憶部に記憶することにより、所定検索キーワードにヒットした新規のヒットデータの一覧を出力することが可能である。また、前記出力される新規のヒットデータは、スコアが目標スコア以上であり、検索キーワードに関連の深い情報である可能性が高いと考えられる。
【００７１】
第５発明によれば、検索システムから受信したヒットデータリストに含まれるヒットデータのアドレス、内容情報及び検索キーワードを記憶部に記憶しておくことにより、アクセスできなくなったヒットデータに対して過去に行った検索に関する検索キーワード及び内容情報を記憶部から取得することができ、取得した検索キーワード及び内容情報に基づいて、アクセスできなくなったヒットデータを検索することが可能である。
【図面の簡単な説明】
【図１】本発明に係る情報処理装置の例を示すブロック図である。
【図２】データ検索手順の例を示すフローチャートである。
【図３】検索画面の例を示す図である。
【図４】（ａ）は本発明に係る情報処理装置の例を示すブロック図であり、（ｂ）は検索結果情報の例を示す図である。
【図５】データ検索手順の例を示すフローチャートである。
【図６】出力画面の例を示す図である。
【図７】本発明に係る情報処理装置の例を示すブロック図である。
【図８】（ａ）は利用者情報の例を示す図であり、（ｂ）はキーワード情報の例を示す図であり、（ｃ）はヒットデータ情報の例を示す図である。
【図９】自動巡回処理の実行手順の例を示すフローチャートである。
【図１０】出力画面の例を示す図である。
【図１１】本発明に係る情報処理装置の例を示すブロック図である。
【図１２】（ａ）はヒットデータ情報の例を示す図であり、（ｂ）はＵＲＬ変更情報の例を示す図である。
【図１３】アクセスが不能になったＵＲＬの検索手順の例を示すフローチャートである。
【図１４】出力画面の例を示す図である。
【符号の説明】
１０  情報処理装置
１１  ＣＰＵ
１２  ＲＡＭ
１３  ハードディスク（記憶部）
１４  外部記憶部
１５  入力部
１６  出力部
１７  通信部
２０  検索システム
２２  通信ネットワーク
【図１】
2004295663.tif 000003
【図２】
2004295663.tif 000004
【図３】
2004295663.tif 000005
【図４】
2004295663.tif 000006
【図５】
2004295663.tif 000007
【図６】
2004295663.tif 000008
【図７】
2004295663.tif 000009
【図８】
2004295663.tif 000010
【図９】
2004295663.tif 000011
【図１０】
2004295663.tif 000012
【図１１】
2004295663.tif 000013
【図１２】
2004295663.tif 000014
【図１３】
2004295663.tif 000015
【図１４】
2004295663.tif 000016